(57)【特許請求の範囲】
【請求項１】
排ガス中に含まれる粒子を捕集する排ガス処理装置において、
前記排ガスを処理する濾布を内部にもったバグフィルタと、
前記バグフィルタの入口側の導入管と前記バグフィルタの出口側の導出管とを接続させたバイパス管とを備え、
前記バイパス管から分岐させた支管にポット状の前記ダスト捕集器を設けたことを特徴とする排ガス処理装置。
【請求項２】
排ガス中に含まれる粒子を捕集する排ガス処理装置において、
前記排ガスを処理する濾布を内部にもったバグフィルタと、
前記バグフィルタの入口側の導入管と前記バグフィルタの出口側の導出管とを接続させたバイパス管とを備え、
前記バイパス管の本管にサイクロンを設けたことを特徴とする排ガス処理装置。
【請求項３】
排ガス中に含まれる粒子を捕集する排ガス処理装置において、
前記排ガスを処理する濾布を内部にもったバグフィルタと、
前記バグフィルタの入口側の導入管と前記バグフィルタの出口側の導出管とを接続させたバイパス管とを備え、
前記バイパス管の入口側に設けられた弁機構の弁板を、前記バイパス管における前記排ガスの流入方向に対し傾斜して配置させたことを特徴とする排ガス処理装置。
【発明の詳細な説明】
【０００１】
【発明の属する技術分野】
本発明は、大気汚染対策として、工場等から出る排ガス中に含まれている粒子を捕集するために利用する排ガス処理装置に関するものである。
【０００２】
【従来の技術】
従来、このような分野の技術として、図５に示すような排ガス処理装置がある。この装置１００は、排ガスを処理する濾布１０１を内部にもったバグフィルタ１０２を有し、導入管１０３によって排ガスをバグフィルタ１０２内に送り込み、濾布１０１によって排ガス内の粉塵や煤塵を捕集させた後、導出管１０４によって煙突等に向けて清浄ガスが送られる。また、濾布１０１の材質は、通常運転時の排ガス温度に基づいたものが選択されるが、緊急時において、工場から排出されるガス温度は急激に上昇する。そこで、排ガスがバグフィルタ１０２を迂回するバイパス管１０５が設けられている。そして、通常運転時は、バイパス管１０５に設けた弁１０６を閉じているが、緊急時において、弁１０７，１０８を閉じ、弁１０６が開かれ、高温の排ガスがバイパス管１０５を流れることになる。その結果、高温の排ガスによって濾布１０１が溶けたり燃えたりするといった損傷をきたすことがない。
【０００３】
【発明が解決しようとする課題】
しかしながら、前述した従来の排ガス処理装置には、次のような課題が存在している。すなわち、緊急時にバイパス管１０５から排出されるガスは、排ガスのままの状態すなわち未処理の状態のまま送り出され、緊急時であるから従来においては何ら対策が採られていないのが現実であった。
【０００４】
本発明は、上述の課題を解決するためになされたもので、緊急時において、バイパス管から排出されるガス内の粒子を低減させ、大気汚染に直結する粉塵や煤塵などを捕集するようにした排ガス処理装置を提供することを目的とする。
【０００５】
【課題を解決するための手段】
請求項１に係る本発明の排ガス処理装置は、排ガス中に含まれる粒子を捕集する排ガス処理装置において、排ガスを処理する濾布を内部にもったバグフィルタと、バグフィルタの入口側の導入管とバグフィルタの出口側の導出管とを接続させたバイパス管とを備え、バイパス管から分岐させた支管にポット状のダスト捕集器を設けたことを特徴とする。
【０００６】
この排ガス処理装置において、工場等から排出されるガス温度が急激に上昇した場合、バグフィルタ内の濾布が損傷しないよう、バイパス管によって、高温の排ガスがバグフィルタを迂回するようになっている。この場合、緊急時に高温の排ガスが発生する場合を想定し、耐熱性の高い材質を濾布として利用し、バイパス管を採用しないことも一案であるが、濾布は消耗品であるから高いメンテナンスコストを余儀なくされる。そこで、緊急時であるから従来においては何ら着目されていなかった粉塵や煤塵などの大気への排出を少しでも軽減させるため、バイパス管から分岐させた支管にポット状のダスト捕集器を設け、緊急時でも大気汚染対策を施すよう発案された。このように、既存のバイパス管を利用することで、安価な設備投資で、緊急時においても大気汚染を抑制させることが可能になる。このような緊急時の対策は、大気汚染が深刻な問題となっている現在においては、極めて重要なものと考える。
【０００７】
このように、バイパス管から分岐させた支管にポット状のダスト捕集器を設けると、バイパス管の本管ではなく支管にポット状のダスト捕集器を設けることになるので、バイパス管を通る排ガスの一部がポット状のダスト捕集器内を通過することになる。したがって、支管の径、長さ、経路等を変えることによって、熱に強い機械的構造からなるポット状のダスト捕集器に無理な負荷をかけることなく、緊急時に大量に流し出される排ガスを、ダスト捕集器のダスト捕集能力に応じた量だけダスト捕集器に流し込むことができ、ダスト捕集器の能力を最大限に引き出すことが可能となる。
【０００８】
請求項２に係る排ガス処理装置は、排ガスを処理する濾布を内部にもったバグフィルタと、バグフィルタの入口側の導入管とバグフィルタの出口側の導出管とを接続させたバイパス管とを備え、バイパス管の本管にサイクロンを設けたことを特徴とする。
このように、バイパス管の本管にサイクロンを設けると、耐熱性がありダスト捕集能力の高いサイクロンをバイパス管の本管に設けることになるので、多量の排ガスを効率良く処理することができる。
【０００９】
請求項３に係る排ガス処理装置は、排ガスを処理する濾布を内部にもったバグフィルタと、バグフィルタの入口側の導入管とバグフィルタの出口側の導出管とを接続させたバイパス管とを備え、バイパス管の入口側に設けられた弁機構の弁板を、バイパス管における排ガスの流入方向に対し傾斜して配置させたことを特徴とする。
このように、バイパス管の入口側に設けられた弁機構の弁板を、バイパス管における排ガスの流入方向に対し傾斜して配置させると、通常運転時で弁機構を閉じた状態において、バイパス管内に流入してきた排ガス中の粉塵等は、弁機構の弁板に衝突することで、弁板によって振るい落とされ、その際に発生したダストは、弁板近傍のバイパス管内に溜まることになる。更に、弁板を、バイパス管における排ガスの流入方向に対して傾斜して配置させることで、弁板とバイパス管とで形成される底部分にダストを溜めることが可能となる。そして、ダストの溜まる底部分にダスト排出管等を設けることで、ダストを外部に適時排出させることができる。
【００１０】
【発明の実施の形態】
以下、図面と共に本発明による排ガス処理装置の好適な実施形態について詳細に説明する。
【００１１】
図１は、本発明に係る排ガス処理装置を示す概略図である。同図に示す排ガス処理装置１は、排ガスを処理するための濾布２を内部にもったバグフィルタ３を有している。この濾布２は、通常運転時の排ガス温度に基づいたものが選択されている。例えば、通常運転時の排ガス温度が２００℃程度の場合、一般にはポリエステル系のものや無機質の繊維からなる織布が利用される。また、バグフィルタ３の筺体４の底部にはダスト開口４ａが設けられ、濾布２によって振るい落とされたダストは、このダスト開口４ａを介して外部に排出され、このダストは、図示しないベルトコンベア等の搬出装置上に落とされて、所定場所まで搬送される。
【００１２】
従って、工場から出た排ガスは、バグフィルタ３の入口側に接続した導入管６によってバグフィルタ３内に送り込まれ、バグフィルタ３内の濾布２によって粉塵や煤塵が捕集される。その後、バグフィルタ３の出口側に接続した導出管７によって煙突等に向けて清浄ガスが送り出されることになる。なお、導入管６及び導出管７には、スライド弁やバタフライ弁等からなる弁部８，９が設けられ、これら弁部８，９は、通常運転時に開放され、緊急時に閉鎖される。
【００１３】
更に、工場等から排出されるガス温度が急激に上昇した場合、すなわち、緊急時においては、バグフィルタ３内の濾布２が排ガスの熱で損傷しないようにすることが必要である。そこで、装置１には、導入管６と導出管７とを接続するバイパス管１０が設けられ、このバイパス管１０の入口側には、弁機構１１が取り付けられる。
【００１４】
図２に示すように、弁機構１１は、通常運転時には閉鎖され、緊急運転時に開放させるものであり、バイパス管１０の延在方向に二列で並設させた弁板１２，１３を有している。そして、各弁板１２，１３は、管軸に対して直交する方向にスライドさせることで、バイパス管１０を開閉させる。このように、二重構造の弁機構１１を採用すると、通常運転時において、バイパス管１０の閉鎖性が高められることになる。
【００１５】
更に、各弁板１２，１３を、バイパス管１０における排ガスの流入方向（矢印Ａ）に対し傾斜して配置させる。このような構成を採用した場合、通常運転時で弁機構１１が閉じられた状態において、バイパス管１０内に流入してきた排ガス中の粉塵等を、弁機構１１の弁板１２に衝突させることで、弁板１２によってダストＣが振るい落とされ、そのダストＣは、弁板１２近傍のバイパス管１０内に溜まることになる。
【００１６】
このとき、弁板１２は傾けられているので、弁板１２とバイパス管１０とで形成される底部分２０にダストＣを溜めることが可能となる。そして、ダストＣの溜まる底部分２０に連通するようなダスト排出管１３をバイパス管１０に設けることで、ダスト排出管１４を介して、ダストＣを外部に適時排出させることができる。
【００１７】
なお、ダストＣは、ダスト排出管１４の弁部１５の開放によって外部に排出されるが、バイパス管１０が、導入管６から下方に向けて延びる場合や水平に向けて延びる場合にダストＣはバイパス管１０内に溜まる。しかし、バイパス管１０が導入管６から上方に延びている場合には、ダストＣがバイパス管１０で溜まることはない。
【００１８】
また、緊急時においては、弁部８，９が閉じられ、弁機構１１が開かれる。このとき、バイパス管１０内を高温の排ガスが流れることになるが、粉塵や煤塵などの大気への排出を少しでも軽減させるため、バイパス管１０の途中にダスト捕集器１６を設ける。
【００１９】
このダスト捕集器１６は、図１に示すように、ポット状のダスト捕集器１７及びサイクロン１８である。このポット状のダスト捕集器（いわゆるダストポット）１７は、構造が簡単で高温ガスの処理が可能なルーバ形の集塵器であり、一般的には、排ガスを障害物に衝突させて粒子を捕集する衝突式と、排ガスの方向転換によって粒子を捕集する反転式のものがある。また、ダスト捕集器１７は、バイパス管１０の本管１０ａではなく、支管１０ｂに設けられるので、バイパス管１０を通る排ガスの全てでなく、その一部をダスト捕集器１７に通すことになる。
【００２０】
したがって、支管１０ｂの径、長さ、経路等を変えることによって、熱に強い機械的構造からなるポット状のダスト捕集器１７に無理な負荷をかけることなく、緊急時に大量に流される排ガスを、ダスト捕集能力に応じた量だけダスト捕集器１７に流し込むことができ、ダストポット１７の能力を最大限に引き出すことができる。
【００２１】
また、ダスト捕集器１７の下流側において、バイパス管１０の本管１０ａには、耐熱性があり且つダスト捕集能力に優れているサイクロン１８が設けられている。したがって、緊急時に多量の排ガスが発生しても、高効率的に排ガスを処理することができ、大気汚染に直結する粉塵や煤塵などを大量に捕集することができる。なお、多量の排ガスが想定される場合にはマルチサイクロンが適切である。
【００２２】
本発明の排ガス処理装置は、前述した実施形態に限定されるものではなく、例えば、図３に示すように、導入管６に対して、バイパス管１０の入口側を下向きに延ばすことで、図２に示すように、バイパス管１０内にダストＣを確実に溜めることができる。これに対して、図４に示すように、バイパス管１０が導入管６から上方に延びている場合には、ダストＣがバイパス管１０内に溜まることがない。これにより、ダストによる弁機構１１への影響を少なくできると同時に、弁機構１１の隙間から排ガス中のダストが漏れ出し難くなる。また、弁板１２，１３は、スライド式に限らず回転式のものであってもよい。
【００２３】
【発明の効果】
本発明による排ガス処理装置は、排ガス中に含まれる粒子を捕集する排ガス処理装置において、排ガスを処理する濾布を内部にもったバグフィルタと、バグフィルタの入口側の導入管とバグフィルタの出口側の導出管とを接続させたバイパス管とを備え、バイパス管から分岐させた支管にポット状のダスト捕集器を設けたことにより、緊急時において、バイパス管から排出されるガス内の粒子を低減させ、大気汚染に直結する粉塵や煤塵などを捕集することができる。
本発明による排ガス処理装置は、排ガス中に含まれる粒子を捕集する排ガス処理装置において、排ガスを処理する濾布を内部にもったバグフィルタと、バグフィルタの入口側の導入管とバグフィルタの出口側の導出管とを接続させたバイパス管とを備え、バイパス管の本管にサイクロンを設けたことにより、緊急時において、バイパス管から排出されるガス内の粒子を低減させ、大気汚染に直結する粉塵や煤塵などを捕集することができる。
本発明による排ガス処理装置は、排ガス中に含まれる粒子を捕集する排ガス処理装置において、排ガスを処理する濾布を内部にもったバグフィルタと、バグフィルタの入口側の導入管とバグフィルタの出口側の導出管とを接続させたバイパス管とを備え、バイパス管の入口側に設けられた弁機構の弁板を、バイパス管における排ガスの流入方向に対し傾斜して配置させたことにより、緊急時において、バイパス管から排出されるガス内の粒子を低減させ、大気汚染に直結する粉塵や煤塵などを捕集することができる。
【図面の簡単な説明】
【図１】本発明に係る排ガス処理装置の第１の実施形態を示す概略図である。
【図２】本発明の排ガス処理装置に適用する弁機構を示す断面図である。
【図３】本発明に係る排ガス処理装置の第２の実施形態を示す概略図である。
【図４】本発明に係る排ガス処理装置の第３の実施形態を示す概略図である。
【図５】従来の排ガス処理装置を示す概略図である。
【符号の説明】
１…排ガス処理装置、２…濾布、３…バグフィルタ、６…導入管、７…導出管、１０…バイパス管、１０ａ…本管、１０ｂ…支管、１１…弁機構、１２，１３…弁板、１６…ダスト捕集器、１７…ポット状ダスト捕集器、１８…サイクロン。
【図１】
0003768765.tif 000002
【図２】
0003768765.tif 000003
【図３】
0003768765.tif 000004
【図４】
0003768765.tif 000005
【図５】
0003768765.tif 000006